(57)【特許請求の範囲】
【請求項１】
アジャスト駒を他の駒と連結させる連結ピンであって、
アジャスト駒と他の駒とのピン穴を一致させ、そのピン穴に挿通されるピン本体と、
ピン本体に巻装して取り付けられ、そのピン穴内壁に圧接する弾性体からなる係止体とを備え、
その係止体の垂直断面方向の厚みを部分的にそのピン穴内径よりも小さくしたことを特徴とするアジャスト駒用連結ピン。
【請求項２】
係止体の外周面を一又は二以上の箇所について水平断面方向に切削することで、その係止体の垂直断面方向の厚みを部分的にそのピン穴内径よりも小さくした請求項１記載のアジャスト駒用連結ピン。
【請求項３】
係止体の垂直断面形状を長円形にすることで、その係止体の垂直断面方向の厚みを部分的にそのピン穴内径よりも小さくした請求項１記載のアジャスト駒用連結ピン。
【請求項４】
係止体の垂直断面形状を多角形状にすることで、その係止体の垂直断面方向の厚みを部分的にそのピン穴内径よりも小さくした請求項１記載のアジャスト駒用連結ピン。
【請求項５】
アジャスト駒を他の駒と連結させる連結ピンであって、アジャスト駒と他の駒とのピン穴を一致させ、そのピン穴に挿通されるピン本体と、Ｃ字形状をして、ピン本体に巻装して取り付けられる金属製の係止体とを備え、その係止体の径が平常時にはピン穴内径よりも大きくてピン穴内壁に圧接するとともに、外圧によりピン穴内径よりも小さくなることを特徴とするアジャスト駒用連結ピン。
【請求項６】
請求項１から５のいずれかに記載のアジャスト駒用連結ピンを用いた時計バンド。
【請求項７】
請求項１から５のいずれかに記載のアジャスト駒用連結ピンを用いた装身具。
【請求項８】
アジャスト駒を他の駒と連結させるアジャスト駒連結構造であって、
アジャスト駒と他の駒とを連結させる連結ピンと、
アジャスト駒と他の駒とにその連結ピンを挿通するピン穴とを備え、
連結ピンは、ピン穴に挿通するピン本体と、そのピン本体に巻装して取り付けられ、ピン穴内壁に圧接する弾性体からなる係止体とを有し、
そのピン穴の内径を部分的に係止体の垂直断面方向の厚みよりも大きくしたことを特徴とするアジャスト駒用連結構造。
【請求項９】
ピン穴の垂直断面形状を長円形にすることで、そのピン穴の内径を部分的に係止体の垂直断面方向の厚みよりも大きくした請求項８記載のアジャスト駒用連結構造。
【発明の詳細な説明】
【０００１】
【発明の属する技術分野】
本件発明は、駒（ブロック）を組み合わせ、或いは駒と板とを組み合わせて構成される時計バンドや装身具のアジャスト駒において、特別な工具を使わずに簡易にアジャスト駒の取り付けや取り除きのできるアジャスト駒用連結ピン及びそれを用いた時計バンド、装身具の構造に関するものである。
【０００２】
【従来の技術】
例えば、駒を組み合わせて構成される時計バンドや装身具のサイズをその装着部分に合わせて調整するためには、アジャスト駒といわれる調整駒を取り除き、または取り付けることによって行われる。従来、このアジャスト駒を取り除くには、取り除くアジャスト駒と他の駒とを連結させている連結ピンを外さなければならず、この連結ピンを外すために目打ちなどの特別の工具が必要であった。
【０００３】
【発明が解決しようとする課題】
時計バンドや装身具を購入する際、専門店でそのサイズを調整してもらう場合には、このような調整作業は格別の問題がない。しかし、サイズの合わない時計バンドを個人的に調整しようとする場合には、前記のように工具を使う必要があるために、適切な工具がないとアジャスト駒の取り除き作業ができなく、不便である。また、工具があっても、細かい面倒な作業であるために自分では作業ができず、専門店で調整してもらう場合も多い。
【０００４】
特に、近年のテレビやインターネットなどを利用した通信販売、専門店以外での装身具販売の普及に伴い、未調整の装身具を購入する場合も多くなり、特別の工具を使わずに、簡易に時計バンドや装身具のサイズを調整できる構造が求められている。
そこで、本件発明の請求項１〜５は、特別の工具を使わずに簡易にアジャスト駒の取り付け及び取り除きのできるアジャスト駒用連結ピンの構造を提供することを目的とする。また、請求項６と７は、そのアジャスト駒用連結ピンを用いた時計バンド、装身具を提供することを目的とする。さらに、請求項８と９は、特別の工具を使わずに簡易にアジャスト駒の取り付け及び取り除きのできるアジャスト駒用連結構造を提供することを目的とする。
【０００５】
【課題を解決するための手段】
上記目的を達成するために、請求項１記載の発明は、アジャスト駒を他の駒と連結させる連結ピンであって、アジャスト駒と他の駒とのピン穴を一致させ、そのピン穴に挿通されるピン本体と、ピン本体に巻装して取り付けられ、そのピン穴内壁に圧接する弾性体からなる係止体とを備え、その係止体の垂直断面方向の厚みを部分的にそのピン穴内径よりも小さくしたことを特徴とする。
【０００６】
ここで、「アジャスト駒」とは、時計バンドや装身具のサイズをその装着部分に合わせて調整するための取り除き可能な駒をいう。「他の駒」とは、アジャスト駒であってもよいし、時計バンドや装身具を構成するその他のツナギ駒であってもよい。また、「係止体」はシリコンゴムが好ましいが、その他のゴムやプラスチック、ウレタンなどの高分子系素材も挙げられる。「ピン本体」は、例えば、従来通りステンレス鋼やチタニウムなどの金属材で構成されている。「部分的に」とは、一箇所に限らず、二箇所以上の場合も含む。
【０００７】
請求項２記載の発明は、係止体の外周面を一又は二以上の箇所について水平断面方向に切削することで、その係止体の垂直断面方向の厚みを部分的にそのピン穴内径よりも小さくしたものであり、請求項３記載の発明は、係止体の垂直断面形状を長円形にすることで、その係止体の垂直断面方向の厚みを部分的にそのピン穴内径よりも小さくしたものであり、請求項４記載の発明は、係止体の垂直断面形状を多角形状にすることで、その係止体の垂直断面方向の厚みを部分的にそのピン穴内径よりも小さくしたものである。
【０００８】
ここで、「長円形」とは、楕円形など正円でないことをいう。「多角形状」とは、正多角形状の他にその他の多角形状も含む。
【０００９】
請求項５記載の発明は、アジャスト駒を他の駒と連結させる連結ピンであって、アジャスト駒と他の駒とのピン穴を一致させ、そのピン穴に挿通されるピン本体と、Ｃ字形状をして、ピン本体に巻装して取り付けられる金属製の係止体とを備え、その係止体の径が平常時にはピン穴内径よりも大きくてピン穴内壁に圧接するとともに、外圧によりピン穴内径よりも小さくなるものである。
【００１０】
請求項６記載の発明は、請求項１から５のいずれかに記載のアジャスト駒用連結ピンを用いた時計バンドであり、請求項７記載の発明は、請求項１から５のいずれかに記載のアジャスト駒用連結ピンを用いた装身具である。
【００１１】
請求項８記載の発明は、アジャスト駒を他の駒と連結させるアジャスト駒連結構造であって、アジャスト駒と他の駒とを連結させる連結ピンと、アジャスト駒と他の駒とにその連結ピンを挿通するピン穴とを備え、連結ピンは、ピン穴に挿通するピン本体と、そのピン本体に巻装して取り付けられ、ピン穴内壁に圧接する弾性体からなる係止体とを有し、そのピン穴の内径を部分的に係止体の垂直断面方向の厚みよりも大きくしたことを特徴とするアジャスト駒用連結構造である。
【００１２】
請求項９記載の発明は、請求項８記載のアジャスト駒用連結構造にあって、ピン穴の垂直断面形状を長円形にすることで、そのピン穴の内径を部分的に係止体の垂直断面方向の厚みよりも大きくしたものである。
【００１３】
【作用】
請求項１記載の発明は、ピン本体と係止体とを備えたアジャスト駒用連結ピン（以下「連結ピン」）である。ピン本体がアジャスト駒と他の駒とのピン穴を一致させたピン穴内に挿通され、ピン本体に取り付けられた係止体がその弾性力によってピン穴の内壁に圧接する。すると、本件発明の連結ピンがピン穴内で固定され、アジャスト駒と他の駒とが連結される。
【００１４】
こうしてピン穴内に固定されている連結ピンに対し、その一方のピン穴に、例えばシャープペンシルの先端軸筒のような極細体を差し込み、この連結ピンの端部を少しの力で他方のピン穴方向へ押圧することで、ピン穴に固定されている連結ピンは、他方のピン穴から抜き出され、アジャスト駒と他の駒とが分離される。逆に、この連結ピンを一方のピン穴から指などで押し込むようにすると、弾性体からなる係止体は圧縮し、ピン穴内に挿通される。
【００１５】
また、ピン本体に巻装して取り付けられる係止体の垂直断面方向の厚みを部分的にそのピン穴内径よりも小さくしたことで、ピン穴内でピン穴によって圧縮される係止体に逃げ部が形成される。その結果、係止体が圧縮による変形に対応でき、係止体の破損を防止できる。
【００１６】
請求項２から４記載の発明のように、係止体の外周面を一又は二以上の箇所について水平断面方向に切削し、係止体の垂直断面形状を長円形し、または係止体の垂直断面形状を多角形状して、その係止体の垂直断面方向の厚みを部分的にそのピン穴内径よりも小さくしたことで、ピン穴内でピン穴によって圧縮される係止体に逃げ部が形成される。その結果、係止体が圧縮による変形に対応でき、係止体の破損を防止できる。
【００１７】
請求項５記載の発明によれば、平常時にはピン穴内径よりも大きい径を有する係止体を、外圧によりピン穴内径よりも小さくすることで、この係止体をピン本体に取り付けた連結ピンはピン穴に挿通可能となる。そして、挿通された連結ピンは、その係止体がピン穴内で平常時の径に復元しようとすることで、ピン穴内壁に圧接する。すると、この連結ピンがピン穴内で固定され、アジャスト駒と他の駒とが連結される。
【００１８】
請求項８と９記載の発明によれば、連結されるアジャスト駒と他の駒のピン穴の内径を部分的に係止体の垂直断面方向の厚みよりも大きくしたことで、そのピン穴内でピン穴によって圧縮される連結ピンの係止体に逃げ部が形成される。その結果、係止体が圧縮による変形に対応でき、係止体の破損を防止できる。
【００１９】
【発明の実施の形態】
本件発明の実施形態を図面を参照して説明する。図１は、アジャスト駒を含んで構成された時計バンドの一部分を示す斜視図、図２は、同分解した拡大斜視図、図３は、アジャスト駒用連結ピンの基本構成を示す説明図、図４は、アジャスト駒用連結ピンの他の実施形態を示す斜視図、図５から図７は、アジャスト駒用連結ピンの係止体の垂直断面図、図８は、金属製係止体を示す斜視図、図９は、同金属製係止体を使用した実施形態を示す説明図である。
【００２０】
図１は、アジャスト駒４を含んで構成された時計バンド５の一部分を示し、このアジャスト駒４の連結方法の一例を図２を参照して説明する。
【００２１】
互いに隣合うアジャスト駒４ａ，４ｂにおいて、一方のアジャスト駒４ａの凸部４１を他方のアジャスト駒４ｂの凹部４２に嵌め合って、それぞれのピン穴４０，４３を一致させて、このピン穴４０，４３内に連結ピン１ａを通すと、連結ピン１ａを介して隣合うアジャスト駒４ａ，４ｂは連結する。このようにして、順次隣合うアジャスト駒は連結されて時計バンド５が構成される。
【００２２】
すなわち、連結ピン１ａにおける係止体２０の外径の直径をφＡとし、ピン本体１０の直径をφＢとする。また、各アジャスト駒４ａ，４ｂのピン穴４０，４３の内径をφＣとするとき、φＡ＞φＣ＞φＢの関係を満足することにより、係止体２０はピン穴４３の内壁に密に圧接し、連結ピン１ａはピン穴４３内で強固に固定される。その結果、互いに隣合うアジャスト駒４ａ，４ｂは、強固な連結状態を確保できる。
【００２３】
また、連結ピン１ａの固定されている連結用ピン穴４３の一方に先端が極細体のもの、例えば、シャープペンシルの先端軸筒などを差し込み、連結ピン１ａに対して他方のピン穴方向へ少しの押圧力を加えて、連結ピン１ａを他方から押し出せばよく、その取り外しが簡易に行えるものである。そして、アジャスト駒の連結を切り離し、装身部分の長さに合うようにアジャスト駒の数を調整できる。
【００２４】
次に互いに隣合うアジャスト駒４ａ，４ｂを連結させるためにそれぞれのピン穴４０，４３を一致させて、この一致させたピン穴４０，４３の一方から連結ピン１ａの一方を挿通する。その挿通時には、弾性体たるシリコンゴムの係止体２０の直径φＡは圧縮するので、指などの力でピン本体１０を押し込むことでピン穴４０，４３に挿通できる。挿通された連結ピン１ａは、係止体２０がその弾力性によってピン穴４３の内壁に圧接し、ピン穴４３内で固定される。なお、連結させるアジャスト駒４は、図示する例に限定されるものではなく、各種のアジャスト駒が利用できる。
【００２５】
なお、この実施形態ではアジャスト駒どうしの切り離し及び連結について説明してあるが、アジャスト駒とツナギ駒との場合にも応用できること勿論である。
【００２６】
図３は、アジャスト駒用連結ピン１ａ（以下「連結ピン１ａ」）の基本構成を示す説明図である。図３（ア）は全体の斜視図、図３（イ）はその一部切欠断面図である。連結ピン１ａは、ステンレス鋼やチタニウム等の金属で構成された円柱状のピン本体１０の両端部にシリコンゴムで構成された係止体２０が巻装するように取り付けてある。この構成の連結ピンのその他の実施形態として、例えば、図４（ア）〜（ウ）に示すアジャスト駒用連結ピン１ｂ，１ｃ，１ｄ（以下「連結ピン１ｂ，１ｃ，１ｄ」）がある。
【００２７】
図４（ア）に示す連結ピン１ｂは、ピン本体１０の両端部に表面を膨出させ、且つ外端を小径にしたシリコンゴムで一体構成の係止体２１が、強固に取り付けられ、例えば、接着剤と図示する補強片３２によりピン本体１の両端部に固着してある。
【００２８】
図４（イ）に示す連結ピン１ｃは、係止体２２をピン本体１０の中央部に幅広く巻装したものであり、図４（ウ）に示す連結ピン１ｄは、係止体２３を複数並列に巻装したものである。なお、係止体の取り付け方は、これに限られるものではなく、ピン本体１０がピン穴に挿通された場合に、係止体がピン穴の内壁に圧接されるようにピン本体１０に取り付けられていればよい。
【００２９】
図５から図７は、ピン本体１０に取り付けられる係止体２０の垂直断面形状を示す断面図である。図５は、係止体２０の外周面を複数箇所について水平断面方向に切削したものである。
【００３０】
図５（ア）の係止体２０ａは、外周面３０を２箇所切削し、部分的に係止体２０ａの垂直断面方向の厚みｔ1をピン穴内径φｃよりも小さくした。図５（イ）の係止体２０ｂは、外周面３０を３箇所切削し、部分的に係止体２０ｂの垂直断面方向の厚みｔ2をピン穴内径φｃよりも小さくした。図５（ウ）の係止体２０ｃは、外周面３０を４箇所切削し、部分的に係止体２０ｃの垂直断面方向の厚みｔ3をピン穴内径φｃよりも小さくした。
なお、外周面３０を切削する箇所は、図５の場合に限られるものではなく、任意の箇所だけ切削するようにしてよい。
【００３１】
このように、係止体２０の外周面３０を一又は二以上の箇所について水平断面方向に切削することで、連結ピン１ａがピン穴４０，４３に挿通された場合に、ピン穴４０，４３内でピン穴によって圧縮される係止体２０に逃げ部が形成される。その結果、係止体２０が圧縮による変形に対応でき、係止体２０の破損を防止できる。
【００３２】
図６は、係止体２０ｄの垂直断面形状を長円形にしたものである。係止体２０ｄの厚い部分の厚みｔ5はピン穴内径φｃよりも大きいが、薄い部分の厚みｔ4はピン穴内径φｃよりも小さくした。このように、垂直断面形状が長円形の係止体２０とすることで、連結ピン１ａがピン穴４０，４３に挿通された場合に、ピン穴４０，４３内でピン穴によって圧縮される係止体２０に逃げ部が形成される。その結果、係止体２０が圧縮による変形に対応でき、係止体２０の破損を防止できる。
【００３３】
図７は、係止体２０ｅの垂直断面形状を多角形状にしたものである。係止体２０ｅの厚い部分の厚みｔ7はピン穴内径φｃよりも大きいが、薄い部分の厚みｔ6はピン穴内径φｃよりも小さくした。このように、垂直断面形状が多角形状の係止体２０とすることで、連結ピン１ａがピン穴４０，４３に挿通された場合に、ピン穴４０，４３内でピン穴によって圧縮される係止体２０に逃げ部が形成される。その結果、係止体２０が圧縮による変形に対応でき、係止体２０の破損を防止できる。なお、多角形状は図７のものに限定されず、８角形、１０角形…のものであってもよい。
【００３４】
また、図示省略するが、連結ピンに取り付けられる係止体の垂直断面形状は正円で、連結されるアジャスト駒と他の駒のピン穴の内径を部分的にその係止体の垂直断面方向の厚みよりも大きくしてもよい。こうすることで、ピン穴内でピン穴によって圧縮される連結ピンの係止体に逃げ部が形成される。その結果、係止体が圧縮による変形に対応でき、係止体の破損を防止できる。
【００３５】
図８は、切れ目５１を有するＣ字形状をして、ピン本体１０に巻装して取り付けられる金属製の係止体５０を示す。金属製の係止体５０の材質としては、例えば、超弾性合金（Ｔｉ−Ｎｉ合金）、ＳＵＳ３０４、スプロン材などを使用してよい。
【００３６】
図９は、この係止体５０をピン本体１０に取り付けた連結ピン１ｅを示す説明図である。係止体５０をピン本体１０に取り付けた平常時の連結ピン１ｅでは、係止体５０の径は、ピン穴４０，４３の内径φｃよりも大きい。
【００３７】
これが、連結ピン１ｅをピン穴４０，４３に挿通させる挿通時には、外圧をかけることで、係止体５０の径がピン穴４０，４３の内径φｃよりも小さくなる。これは、係止体５０が切れ目５１を有するＣ字形状をしているため、その伸縮が自在となるためである。こうして、連結ピン１ｅがピン穴４０，４３に挿通可能となる。
【００３８】
そして、連結ピン１ｅがピン穴に挿通された後は、ピン穴内で平常時の径に復元しようとすることで、ピン穴内壁に圧接する。すると、この連結ピン１ｅがピン穴内で固定され、アジャスト駒と他の駒とが連結される。
【００３９】
【発明の効果】
請求項１記載の発明によれば、アジャスト駒と他の駒とを連結している連結ピンをピン穴から抜き出し及び挿通する作業には専用工具を必要とせずに例えばシャープペンシルの先端軸筒のような極細体を用いて簡易に行えるため、アジャスト駒の調整が誰にでも容易にできる。また、連結ピンはピン穴内で係止体によってしっかりと固定され、連結ピンがピン穴から脱落することはなく、アジャスト駒と他の駒とは確実に連結できる。
【００４０】
さらに、係止体の垂直断面方向の厚みを部分的にそのピン穴内径よりも小さくしたことで、ピン穴内でピン穴によって圧縮される係止体に逃げ部が形成される。その結果、係止体が圧縮による変形に対応でき、係止体の破損を防止できる。
【００４１】
請求項２記載の発明によれば、係止体の外周面を一又は二以上の箇所について水平断面方向に切削したことで、ピン穴内でピン穴によって圧縮される係止体に逃げ部が形成される。その結果、係止体が圧縮による変形に対応でき、係止体の破損を防止できる。
【００４２】
請求項３記載の発明によれば、係止体の垂直断面形状を長円形したことで、ピン穴内でピン穴によって圧縮される係止体に逃げ部が形成される。その結果、係止体が圧縮による変形に対応でき、係止体の破損を防止できる。
【００４３】
請求項４記載の発明によれば、係止体の垂直断面形状を多角形状して、その係止体の垂直断面方向の厚みを部分的にそのピン穴内径よりも小さくしたことで、ピン穴内でピン穴によって圧縮される係止体に逃げ部が形成される。その結果、係止体が圧縮による変形に対応でき、係止体の破損を防止できる。
【００４４】
請求項５記載の発明によれば、平常時にはピン穴内径よりも大きい径を有する係止体を、外圧によりピン穴内径よりも小さくすることで、この係止体をピン本体に取り付けた連結ピンはピン穴に挿通可能となる。そして、挿通された連結ピンは、その係止体がピン穴内で平常時の径に復元しようとすることで、ピン穴内壁に圧接する。すると、この連結ピンがピン穴内で固定され、アジャスト駒と他の駒とが連結できる。
【００４５】
請求項６及び７記載の発明によれば、アジャスト駒の取り付け及び取り除きが簡易に行え、そのサイズの調整が容易な時計バンド、装身具を提供することができる。
【００４６】
請求項８と９記載の発明によれば、連結されるアジャスト駒と他の駒のピン穴の内径を部分的に係止体の垂直断面方向の厚みよりも大きくしたことで、そのピン穴内でピン穴によって圧縮される連結ピンの係止体に逃げ部が形成され、係止体が圧縮による変形に対応でき、係止体の破損を防止できる。
【図面の簡単な説明】
【図１】  アジャスト駒を含んで構成された装身具の一部分を示す斜視図。
【図２】  同分解した拡大斜視図。
【図３】  アジャスト駒用連結ピンの基本構成を示す説明図。
【図４】  アジャスト駒用連結ピンのその他の実施形態を示す斜視図。
【図５】  係止体の垂直断面形状を示す断面図。
【図６】  係止体の垂直断面形状を示す断面図。
【図７】  係止体の垂直断面形状を示す断面図。
【図８】  金属製係止体を示す斜視図。
【図９】  金属製係止体を使用した実施形態を示す説明図。
【符号の説明】
１ａ    アジャスト駒用連結ピン
４ａ，４ｂ    アジャスト駒
１０    ピン本体
２０    係止体
４０，４３    連結用ピン穴
【図１】
0003650598.tif 000002
【図２】
0003650598.tif 000003
【図３】
0003650598.tif 000004
【図４】
0003650598.tif 000005
【図５】
0003650598.tif 000006
【図６】
0003650598.tif 000007
【図７】
0003650598.tif 000008
【図８】
0003650598.tif 000009
【図９】
0003650598.tif 000010